(57)【要約】      （修正有）【課題】ヘッドマウントディスプレイの使い勝手を向上する。【解決手段】ヘッドマウントディスプレイに電力を供給する電力蓄積部１１と、カートリッジを接続可能なインタフェース部と、カートリッジがインタフェース部に接続されると、電力蓄積部１１ではなく、カートリッジが有する電力蓄積部１００１から電力の供給を受けるように制御する制御部とを備える。制御部は、カートリッジが接続された場合、電力蓄積部１００１に蓄積されている電力の残容量が第１所定量以下であるかを判定し、第１所定量以下である場合に報知を実行する。【選択図】図７
2017183830.tif 000002
【特許請求の範囲】
【請求項１】
ヘッドマウントディスプレイであって、
前記ヘッドマウントディスプレイに電力を供給する第１電力蓄積部と、
カートリッジを接続可能なインタフェース部と、
前記カートリッジが前記インタフェース部に接続されると、前記第１電力蓄積部ではなく、前記カートリッジが有する第２電力蓄積部から電力の供給を受けるように制御する制御部と
を備えるヘッドマウントディスプレイ。
【請求項２】
前記制御部は、前記カートリッジが接続された場合、前記第２電力蓄積部に蓄積されている電力の残容量が第１所定量以下であるかを判定し、第１所定量以下である場合に報知を実行する請求項１に記載のヘッドマウントディスプレイ。
【請求項３】
前記第１所定量は、前記カートリッジから取得されたデータに基づくアプリケーションの実行を完遂するために必要となる電力量である請求項２に記載のヘッドマウントディスプレイ。
【請求項４】
前記制御部は、前記第１電力蓄積部に蓄積されている電力の残容量と、前記第２電力蓄積部に蓄積されている電力の残容量とを合算した量が第２所定量以下である場合に報知を実行する請求項１に記載のヘッドマウントディスプレイ。
【請求項５】
前記第２所定量は、前記カートリッジから取得されたデータに基づくアプリケーションの実行を完遂するために必要となる電力量である請求項４に記載のヘッドマウントディスプレイ。
【発明の詳細な説明】
【技術分野】
【０００１】
本出願は、ヘッドマウントディスプレイに関する。
【背景技術】
【０００２】
従来、頭部装着型の表示装置がある。
【先行技術文献】
【特許文献】
【０００３】
【特許文献１】特開２０１２−２３１２５９号公報
【発明の概要】
【発明が解決しようとする課題】
【０００４】
上記表示装置は、さらなる使い勝手の向上が望まれている。
【課題を解決するための手段】
【０００５】
１つの態様に係るヘッドマウントディスプレイは、前記ヘッドマウントディスプレイに電力を供給する第１電力蓄積部と、カートリッジを接続可能なインタフェース部と、前記カートリッジが前記インタフェース部に接続されると、前記第１電力蓄積部ではなく、前記カートリッジが有する第２電力蓄積部から電力の供給を受けるように制御する制御部とを備える。
【図面の簡単な説明】
【０００６】
【図１】図１は、実施形態に係るヘッドマウントディスプレイの外観の概略構成を示す図である。
【図２】図２は、実施形態に係るインタフェース部の設置位置の例を示す図である。
【図３】図３は、実施形態に係るインタフェース部の設置位置の例を示す図である。
【図４】図４は、実施形態に係るインタフェース部の開口方向の例を示す図である。
【図５】図５は、実施形態に係るインタフェース部の設置位置及び開口方向の他の例を示す図である。
【図６】図６は、実施形態に係るインタフェース部の設置位置及び開口方向の他の例を示す図である。
【図７】図７は、実施形態に係るヘッドマウントディスプレイの機能構成の例を示すブロック図である。
【図８】図８は、実施形態に係るヘッドマウントディスプレイの処理の例を示すフローチャートである。
【図９】図９は、実施形態に係るヘッドマウントディスプレイの処理の例を示すフローチャートである。
【図１０】図１０は、実施形態に係るヘッドマウントディスプレイの処理の例を示すフローチャートである。
【図１１】図１１は、実施形態に係るヘッドマウントディスプレイの処理の例を示すフローチャートである。
【図１２】図１２は、実施形態に係るヘッドマウントディスプレイによる報知の例を示す図である。
【発明を実施するための形態】
【０００７】
本出願に係るヘッドマウントディスプレイの実施形態を、図面を参照しつつ詳細に説明する。本出願に係るヘッドマウントディスプレイの利用者は、例えば、カートリッジをヘッドマウントディスプレイに接続して、カートリッジから特定のコンテンツをヘッドマウントディスプレイに読み込ませることにより、ヘッドマウントディスプレイを介して、種々のサービスの提供を受けることができる。ヘッドマウントディスプレイに接続可能なカートリッジは、ビジネスパーク、ショッピングセンター、ファッションビル、公園、アミューズメント施設、ハイテクパーク、住居用施設など、屋外、屋内を問わず、ヘッドマウントディスプレイを介してサービスを提供可能な種々の施設などから提供されてよい。
【０００８】
図１は、実施形態に係るヘッドマウントディスプレイの外観の概略構成を示す図である。図１に示すように、ヘッドマウントディスプレイ１は、眼鏡型の形状を有し、フロント部１ａ、蔓部１ｂ、蔓部１ｃ、及び支持部１ｄを備える。図１に示すヘッドマウントディスプレイ１の形状は一例に過ぎず、頭部装着型のウェアラブル端末としての機能を実現できれば、図１に示す形状には限定されない。
【０００９】
フロント部１ａは、表示部２ａ及び表示部２ｂの外周部の少なくとも一部を取り囲むように形成されている。フロント部１ａは、ヘッドマウントディスプレイ１の利用者がヘッドマウントディスプレイ１を装着したときに、利用者の眼前に配置される部分となる。支持部１ｄは、１対（図示せず）からなり、ヘッドマウントディスプレイ１の利用者がヘッドマウントディスプレイ１を装着したときに、利用者の鼻を挟み込むようにして接する。支持部１ｄは、ヘッドマウントディスプレイ１が利用者に装着されたとき、ヘッドマウントディスプレイ１が利用者の顔を重力方向にずれ落ちることなく、装着姿勢をできるだけ保った状態で支持されることに寄与する。
【００１０】
フロント部１ａには、撮像部３、撮像部４、検出部５、及び操作部６なども設置される。図１に示すフロント部１ａに設置される各部は一例に過ぎず、図１に示す例に限定されるものではない。
【００１１】
蔓部１ｂ及び蔓部１ｃは、同様の棒状の形状で形成される。蔓部１ｂ及び蔓部１ｃは、ヘッドマウントディスプレイ１の利用者がヘッドマウントディスプレイ１を装着したときに、利用者の側頭部に沿ってそれぞれ配置される部分となる。蔓部１ｂの一方の端部、及び蔓部１ｃの一方の端部は、それぞれ、ヒンジ（図示せず）を介して折り畳み自在にフロント部１ａに接続される部位となる。蔓部１ｂの他方の端部、及び蔓部１ｃの他方の端部は、それぞれ、ヘッドマウントディスプレイ１の利用者がヘッドマウントディスプレイ１を装着したときに、利用者の耳にあてがわれる部位となる。蔓部１ｂ及び蔓部１ｃも、支持部１ｄと同様に、ヘッドマウントディスプレイ１が利用者に装着されたとき、ヘッドマウントディスプレイ１が利用者の顔を重力方向にずれ落ちることなく、装着姿勢をできるだけ保った状態で支持されることに寄与する。
【００１２】
以下、図２から図６を用いて、ヘッドマウントディスプレイが備えるインタフェース部の設置位置及び開口方向の例を説明する。図２及び図３は、実施形態に係るインタフェース部の設置位置の例を示す図である。図４は、実施形態に係るインタフェース部の開口方向の例を示す図である。図５及び図６は、実施形態に係るインタフェース部の設置位置及び開口方向の他の例を示す図である。図２から図６には具体的に示していないが、ヘッドマウントディスプレイ１は、カートリッジ１０００を接続するためのインタフェース部を備える。
【００１３】
図２に示すように、ヘッドマウントディスプレイ１は、蔓部１ｂの端部のうちフロント部１ａに接続されていない端部付近１ｂ−１、及び蔓部１ｃの端部のうちフロント部１ａに接続されていない端部付近１ｃ−１に、インタフェース部をそれぞれ設置することができる。あるいは、図３に示すように、ヘッドマウントディスプレイ１は、蔓部１ｂの中央付近１ｂ−２及び蔓部１ｃの中央付近１ｃ−２にインタフェース部をそれぞれ設置することもできる。ヘッドマウントディスプレイ１は、例えば、フロント部１ａが、撮像部３、撮像部４、検出部５、及び操作部６などを備えることにより、蔓部１ｂ、１ｃに比べて重たい場合に、蔓部１ｂ（又は蔓部１ｃ）にカートリッジ１０００を接続させることで、当該蔓部１ｂ（又は１ｃ）の重さをフロント部１ａの重さに近づけることができ、装着感を向上させることができる。
【００１４】
また、インタフェース部を蔓部１ｂ及び蔓部１ｃに設置する場合、インタフェース部は、ヘッドマウントディスプレイ１の利用者Ｕ１（図４参照）に当該ヘッドマウントディスプレイ１が装着された状態であるときに鉛直方向下向きに開口している。このような構成により、ヘッドマウントディスプレイ１は、インターフェース部が有する開口部（外部に開口した部分）から粉塵等が入り込むことを防止できる。
【００１５】
図４を用いて、インタフェース部が開口している方向について説明する。図４に示す座標軸のｘ１軸、ｙ１軸、及びｚ１軸はそれぞれが互いに直交しているものとする。図４に示す例において、ヘッドマウントディスプレイ１のフロント部１ａの長手方向は、図４に示す座標軸のｘ１軸方向に平行な方向と一致しているものとする。インタフェース部は、カートリッジ１０００をヘッドマウントディスプレイ１に挿入して接続することが可能な向きに開口している。図４に示す例では、同図には明示されていないが、インタフェース部が、例えば、鉛直方向下向きの方向、すなわち、ｙ１軸の負の方向に平行な方向に開口されている。
【００１６】
ヘッドマウントディスプレイ１は、図２及び図３に示すように、蔓部１ｂ及び蔓部１ｃにインタフェース部をそれぞれ設置してもよいし、蔓部１ｂ及び蔓部１ｃのいずれか一方に設置してもよい。
【００１７】
図５を用いて、インタフェース部の設置位置及び開口方向の他の例を説明する。図５に示す座標軸のｘ２軸、ｙ２軸、及びｚ２軸はそれぞれが互いに直交しているものとする。図５に示す例において、ヘッドマウントディスプレイ１のフロント部１ａの長手方向は、図５に示す座標軸のｘ２軸方向に平行な方向と一致しているものとする。図５に示すように、ヘッドマウントディスプレイ１は、蔓部１ｃを完全に開いた状態のときに当該蔓部１ｃがフロント部１ａに対して接する位置である当該蔓部１ｃの合口部１ｃ−ｘにインタフェース部を設置することもできる。インタフェース部は、カートリッジ１０００を挿入して接続可能な状態で開口している。図５に示す例では、インタフェース部が、図５に示す座標軸のｚ２軸の正の方向に平行な方向に向かって開口している状態を示している。このような構成により、ヘッドマウントディスプレイ１は、蔓部１ｃを完全に開いた状態のときに、インタフェース部１０の開口部がフロント部１ａにより塞がれるため、カートリッジ１０００を外部の衝撃などから保護することができる。
【００１８】
また、図５に示す例において、ヘッドマウントディスプレイ１は、蔓部１ｂ（又は蔓部１ｃ）における、当該蔓部１ｂ（又は蔓部１ｃ）の長手方向に開口されている開口部を有するものとして規定されてもよい。
【００１９】
図６を用いて、インタフェース部の設置位置及び開口方向の他の例を説明する。図６に示す座標軸のｘ３軸、ｙ３軸、及びｚ３軸はそれぞれが互いに直交しているものとする。図６に示す例において、ヘッドマウントディスプレイ１のフロント部１ａの長手方向は、図６に示す座標軸のｘ３軸方向に平行な方向と一致しているものとする。図６に示すように、ヘッドマウントディスプレイ１は、フロント部１ａにおける利用者の顔面に対面する領域１ａ−１にインタフェース部を設置することもできる。インタフェース部は、カートリッジ１０００を挿入して接続可能な状態で開口している。図６に示す例では、インタフェース部が、図６に示す座標軸のｚ３軸の正の方向に平行な方向に向かって開口している状態を示している。このような構成により、ヘッドマウントディスプレイ１は、カートリッジ１０００がインタフェース部に接続された状態で、当該カートリッジ１０００を外部の衝撃などから保護することができる。
【００２０】
図７は、実施形態に係るヘッドマウントディスプレイの機能構成の例を示すブロック図である。図７に示すように、ヘッドマウントディスプレイ１は、表示部２ａ、表示部２ｂ、撮像部３、撮像部４、検出部５、操作部６、通信部７、記憶部８、制御部９、インタフェース部１０、及び電力蓄積部１１を備えて構成される。
【００２１】
表示部２ａ及び表示部２ｂは、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）パネルなどの半透過または透過の表示デバイスを有することができる。表示部２ａ及び表示部２ｂは、制御部９から入力される制御信号に従って各種の情報を表示する。表示部２ａ及び表示部２ｂは、レーザ光線等の光源を用いて利用者の網膜に画像を投影する投影装置であってもよい。
【００２２】
撮像部３及び撮像部４は、ＣＣＤ（Ｃｈａｒｇｅ  Ｃｏｕｐｌｅｄ  Ｄｅｖｉｃｅ  Ｉｍａｇｅ  Ｓｅｎｓｏｒ）、或いはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのイメージセンサを用いて電子的に画像を撮像する。撮像部３及び撮像部４は、撮像した画像を信号に変換して制御部９へ出力する。撮像部３は、例えば、ヘッドマウントディスプレイ１を装着した利用者の前景を撮影するアウトカメラである。撮像部４は、例えば、ヘッドマウントディスプレイ１を装着した利用者を撮影するインカメラである。
【００２３】
検出部５は、種々の検出を実行する。検出部５は、可視光、赤外線、紫外線、電波、音波、磁気、静電容量の少なくとも１つを用いて、検出対象、及び検出対象の状態変化などを検出できる。検出対象は、静止物、移動物、生物、及び非生物を含む。実施形態において、検出部５は、ヘッドマウントディスプレイ１がヘッドマウントディスプレイ１の利用者により装着されている状態であるかを判定するための情報の検出も実行できる。検出部５は、ヘッドマウントディスプレイ１がヘッドマウントディスプレイ１の利用者により装着されている状態であるかを判定するための情報を制御部９へ出力する。
【００２４】
操作部６は、ヘッドマウントディスプレイ１の起動、停止、動作設定を含む各種設定の変更などの操作入力を利用者から受け付ける。操作部６は、利用者から受け付けた操作入力を信号に変換して制御部９へ出力する。
【００２５】
通信部７は、他の装置との間で通信できる。通信部７は、例えば、通信ネットワーク５０を介し、所定の通信プロトコルを用いて、施設内に設置される施設サーバ１００などとの間でやり取りされる各種情報を送受信できる。通信部７は、近距離無線の通信規格の１つ又は複数をサポートできる。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。
【００２６】
記憶部８は、プログラム及びデータを記憶する。記憶部８に記憶されるプログラムには制御プログラム８０が含まれる。記憶部８に記憶されるアプリケーションには、施設アプリケーション８１が含まれる。記憶部８に記憶されるデータには制御用データ８２、カートリッジデータ８３、及び施設サーバデータ８４が含まれる。
【００２７】
記憶部８は、制御部９の処理結果を一時的に記憶する作業領域として利用されてもよい。記憶部８は、半導体記憶媒体、及び磁気記憶媒体等の任意の非一過的（ｎｏｎ−ｔｒａｎｓｉｔｏｒｙ）な記憶媒体で構成されてよい。記憶部８は、複数の種類の記憶媒体を含んでよい。記憶部８は、メモリカード、光ディスク、又は光磁気ディスク等の記憶媒体と、記憶媒体の読み取り装置との組み合わせを含んでよい。記憶部８は、ＲＡＭ（Ｒａｎｄｏｍ  Ａｃｃｅｓｓ  Ｍｅｍｏｒｙ）などの一時的な記憶領域として利用される記憶装置を含んでよい。記憶部８に記憶されるプログラムには、アプリケーションの動作を支援するプログラム（図示略）が含まれてよい。記憶部８に記憶されるプログラム、アプリケーション及びデータは、無線通信あるいは有線通信によって施設サーバ１００などの他の装置から取得されてよい。
【００２８】
制御プログラム８０は、ヘッドマウントディスプレイ１の各種制御に関する機能を提供する。制御プログラム８０が提供する機能には、検出処理部８０ａ、表示制御部８０ｂ、及び電力制御部８０ｃが含まれる。
【００２９】
検出処理部８０ａは、検出部５の検出結果に基づいて、ヘッドマウントディスプレイ１の各種制御を実行するための機能を提供する。表示制御部８０ｂは、表示部２ａ及び表示部２ｂの表示制御を実行するための機能を提供する。
【００３０】
電力制御部８０ｃは、カートリッジ１０００がインタフェース部１０に接続されると、電力蓄積部１１ではなく、カートリッジ１０００が有する電力蓄積部１００１から電力の供給を受けるように制御するための機能を提供する。電力制御部８０ｃは、カートリッジ１０００が接続された場合、電力蓄積部１００１に蓄積されている電力の残容量が第１所定量以下であるかを判定し、第１所定量以下である場合に報知を実行する機能を提供する。電力制御部８０ｃは、電力蓄積部１１に蓄積されている電力の残容量と、電力蓄積部１００１に蓄積されている電力の残容量とを合算した量が第２所定量以下である場合に報知を実行する機能を提供することもできる。第１所定量及び第２所定量は、例えば、カートリッジ１０００から取得されたデータに基づくアプリケーションの実行を完遂するために必要となる電力量に該当する。カートリッジ１０００から取得されたデータに基づくアプリケーションの実行に必要となる電力量とは、例えば、施設アプリケーション８１が、カートリッジデータ８３を用いて処理を実行する場合に必要となる電力量に相当する。電力蓄積部１１は、例えば、第１電力蓄積部の一例である。電力蓄積部１００１は、例えば、第２電力蓄積部の一例である。
【００３１】
制御プログラム８０が提供する機能には、上記機能の他、以下の機能が含まれる。例えば、制御プログラム８０が提供する機能には、カートリッジ１０００のインタフェース部１０への接続を検出する機能が含まれる。
【００３２】
施設アプリケーション８１は、例えば、ヘッドマウントディスプレイ１の利用者が、ヘッドマウントディスプレイ１を介して、施設内に設置される設備及び機器などを利用するための機能を提供するアプリケーションである。例えば、アミューズメントパークである場合、アミューズメントパークの地図などのアミューズメントパークに関する各種情報を表示したり、アミューズメントパーク内に設置される各種アトラクションで遊戯する際の動画像及び音声などを出力したりするためのアプリケーションに該当する。施設アプリケーション８１は、施設内に設置される設備及び機器が複数存在する場合、設備及び機器のそれぞれに対応するアプリケーションを含むアプリケーションセットとして構成されてよい。施設アプリケーション８１は、インタフェース部１０に接続されたカートリッジ１０００から取得されてよい。
【００３３】
制御用データ８２は、制御プログラム８１により提供される機能により実行されるヘッドマウントディスプレイ１の各種制御に用いられるデータである。実施形態において、制御用データ８２は、第１所定量及び第２所定量のデータを含む。制御用データ８２は、電力蓄積部１００１に蓄積されている電力の残容量が第１所定量以下である場合、若しくは電力蓄積部１００１に蓄積されている電力の残容量が第２所定量以下である場合に実行する報知に関するデータを含む。制御用データ８２は、インタフェース部１０に接続されたカートリッジ１０００から取得されてもよい。
【００３４】
カートリッジデータ８３は、インタフェース部１０に接続されたカートリッジ１０００から取得されたデータである。カートリッジデータ８３は、施設アプリケーション参照用データなどを含む。施設アプリケーション参照用データは、施設アプリケーション８１により実行される処理において用いられる。例えば、アミューズメントパークである場合、施設アプリケーション参照用データは、施設アプリケーション８１が、アトラクションにおけるゲームの進行に応じて、動画像及び音声などのコンテンツをヘッドマウントディスプレイ１に出力するために用いられる。施設アプリケーション参照用データは、施設内に設置される設備及び機器それぞれに対応するアプリケーションを含むアプリケーションセットとして構成される場合、各アプリケーションに対応するデータを含むデータセットとして構成されてよい。
【００３５】
施設サーバデータ８４は、施設サーバ１００から提供されるデータである。例えば、アミューズメントパークである場合、施設サーバデータ８４は、施設アプリケーション８１が、カートリッジ１０００から取得される以外のアミューズメントパークに関する各種情報をヘッドマウントディスプレイ１に表示させるために用いられる。
【００３６】
制御部９は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んで構成されてよいが、これらを含んで構成される場合に限定されない。制御部９は、ヘッドマウントディスプレイ１の動作を統括的に制御して各種の機能を実現する。具体的には、制御部９は、記憶部８に記憶されている制御用データ８２を必要に応じて参照しつつ、記憶部８に記憶されている制御プログラム８０に含まれる命令を実行することにより、ヘッドマウントディスプレイ１の各種制御を実現する。
【００３７】
制御部９は、制御プログラム８０を実行することにより、カートリッジ１０００がインタフェース部１０に接続された場合、カートリッジ１０００が有する電力蓄積部１００１から電力の供給を受けるように制御する処理を実現する。制御部９は、制御プログラム８０を実行することにより、カートリッジ１０００が接続された場合、電力蓄積部１００１に蓄積されている電力の残容量が第１所定量以下であるかを判定し、第１所定量以下である場合に報知する処理を実現する。制御部９は、制御プログラム８０を実行することにより、カートリッジ１０００が接続された場合、電力蓄積部１１に蓄積されている電力の残容量と、電力蓄積部１００１に蓄積されている電力の残容量とを合算した量が、第２所定量以下である場合に報知する処理を実現する。制御部９が実現する報知には、例えば、電力の残容量が施設アプリケーション８１による処理を実行するために必要な量に満たない旨を、ヘッドマウントディスプレイ１の利用者に通知することが含まれる。通知の方法は、音、画像、光、振動などの任意の方法を用いることができる。
【００３８】
インタフェース部１０は、カートリッジ１０００を接続可能な状態で開口している。インタフェース部１０は、カートリッジ１０００が接続されると、カートリッジ１０００が接続された旨を制御部９に通知するための接続検知信号を制御部９へ出力する。インタフェース部１０は、カートリッジ１０００からカートリッジ１０００に記憶されているデータを取得し、取得したデータを制御部９へ出力する。
【００３９】
電力蓄積部１１は、ヘッドマウントディスプレイ１にて実行される各種処理などに必要な電力を蓄積する。電力蓄積部１１は、例えば、二次電池またはコンデンサである。
【００４０】
カートリッジ１０００は、電力蓄積部１００１を有する。電力蓄積部１００１は、ヘッドマウントディスプレイ１において実行される施設アプリケーション８１の処理に必要な電力を蓄積する。電力蓄積部１００１は、例えば、一次電池、二次電池、あるいはコンデンサである。
【００４１】
図８から図１２を用いて、実施形態に係るヘッドマウントディスプレイの処理の流れを説明する。図８から図１１は、実施形態に係るヘッドマウントディスプレイの処理の例を示すフローチャートである。図１２は、実施形態に係るヘッドマウントディスプレイによる報知の例を示す図である。
【００４２】
図８に示すヘッドマウントディスプレイの処理の例を説明する。図８に示すように、ヘッドマウントディスプレイ１は、カートリッジ１０００の接続が検出されたかを判定する（ステップＳ１０１）。
【００４３】
ヘッドマウントディスプレイ１は、判定の結果、カートリッジ１０００の接続が検出されていない場合（ステップＳ１０１，Ｎｏ）、図８に示す処理を終了する。
【００４４】
一方、ヘッドマウントディスプレイ１は、判定の結果、カートリッジ１０００の接続が検出された場合（ステップＳ１０１，Ｙｅｓ）、電力の取得先をカートリッジ１０００（電力蓄積部１００１）に切り換えて（ステップＳ１０２）、図８に示す処理を終了する。
【００４５】
図９に示すヘッドマウントディスプレイの処理の例を説明する。図９に示すように、ヘッドマウントディスプレイ１は、カートリッジ１０００の接続が検出されたかを判定する（ステップＳ２０１）。
【００４６】
ヘッドマウントディスプレイ１は、判定の結果、カートリッジ１０００の接続が検出されていない場合（ステップＳ２０１，Ｎｏ）、図９に示す処理を終了する。
【００４７】
一方、ヘッドマウントディスプレイ１は、判定の結果、カートリッジ１０００の接続が検出された場合（ステップＳ２０１，Ｙｅｓ）、電力の取得先をカートリッジ１０００（電力蓄積部１００１）に切り換える（ステップＳ２０２）。
【００４８】
続いて、ヘッドマウントディスプレイ１は、カートリッジ１０００（電力蓄積部１００１）の電力の残容量が第１所定量以下であるかを判定する（ステップＳ２０３）。
【００４９】
ヘッドマウントディスプレイ１は、判定の結果、カートリッジ１０００（電力蓄積部１００１）の電力の残容量が第１所定量以下である場合（ステップＳ２０３，Ｙｅｓ）、カートリッジ１０００の電力の残容量に関する報知を実行し（ステップＳ２０４）、図９に示す処理を終了する。
【００５０】
一方、ヘッドマウントディスプレイ１は、判定の結果、カートリッジ１０００（電力蓄積部１００１）の電力の残容量が第１所定量以下ではない場合（ステップＳ２０３，Ｎｏ）、図９に示す処理を終了する。
【００５１】
図１０に示すヘッドマウントディスプレイの処理の例を説明する。図１０に示すように、ヘッドマウントディスプレイ１は、カートリッジ１０００の接続が検出されたかを判定する（ステップＳ３０１）。
【００５２】
ヘッドマウントディスプレイ１は、判定の結果、カートリッジ１０００の接続が検出されていない場合（ステップＳ３０１，Ｎｏ）、図１０に示す処理を終了する。
【００５３】
一方、ヘッドマウントディスプレイ１は、判定の結果、カートリッジ１０００の接続が検出された場合（ステップＳ３０１，Ｙｅｓ）、電力の取得先をカートリッジ１０００（電力蓄積部１００１）に切り換える（ステップＳ３０２）。
【００５４】
続いて、ヘッドマウントディスプレイ１は、カートリッジ１０００（電力蓄積部１００１）の電力の残容量と、ヘッドマウントディスプレイ１（電力蓄積部１１）の電力の残容量とを合算した量が、第２所定量以下であるかを判定する（ステップＳ３０３）。
【００５５】
ヘッドマウントディスプレイ１は、判定の結果、カートリッジ１０００（電力蓄積部１００１）の電力の残容量と、ヘッドマウントディスプレイ１（電力蓄積部１１）の電力の残容量とを合算した量が第２所定量以下である場合（ステップＳ３０３，Ｙｅｓ）、カートリッジの電力の残容量に関する報知を実行し（ステップＳ３０４）、図１０に示す処理を終了する。
【００５６】
一方、ヘッドマウントディスプレイ１は、判定の結果、カートリッジ１０００（電力蓄積部１００１）の電力の残容量と、ヘッドマウントディスプレイ１（電力蓄積部１１）の電力の残容量とを合算した量が、第２所定量以下ではない場合（ステップＳ３０３，Ｎｏ）、図１０に示す処理を終了する。
【００５７】
図１０において、ヘッドマウントディスプレイ１は、カートリッジ１０００が有する電力蓄積部１００１の電力が底をついた場合、電力の取得先を電力蓄積部１００１から電力蓄積部１１に自動的に切り換えて、電力蓄積部１１の電力を使用することができる。
【００５８】
図１１に示すヘッドマウントディスプレイの処理の例を説明する。図１１に示すように、ヘッドマウントディスプレイ１は、カートリッジ１０００の接続が検出されたかを判定する（ステップＳ４０１）。
【００５９】
ヘッドマウントディスプレイ１は、判定の結果、カートリッジ１０００の接続が検出されていない場合（ステップＳ４０１，Ｎｏ）、図１１に示す処理を終了する。
【００６０】
一方、ヘッドマウントディスプレイ１は、判定の結果、カートリッジ１０００の接続が検出された場合（ステップＳ４０１，Ｙｅｓ）、電力の取得先をカートリッジ１０００（電力蓄積部１００１）に切り換える（ステップＳ４０２）。
【００６１】
続いて、ヘッドマウントディスプレイ１は、アプリケーション（例えば、施設アプリケーション８１）の実行トリガを検出したか判定する（ステップＳ４０３）。実行トリガとしては、例えば、アミューズメントパークに設置されるアトラクションのゲートから発信される電波を検出し場合、ヘッドマウントディスプレイ１の利用者の手動による実行操作などが考えられる。
【００６２】
ヘッドマウントディスプレイ１は、判定の結果、アプリケーションの実行トリガを検出していない場合（ステップＳ４０３，Ｎｏ）、同判定を繰り返す。
【００６３】
一方、ヘッドマウントディスプレイ１は、判定の結果、アプリケーションの実行トリガを検出した場合（ステップＳ４０３，Ｙｅｓ）、カートリッジ１０００（電力蓄積部１００１）の電力の残容量が、第１所定量以下であるかを判定する（ステップＳ４０４）。
【００６４】
ヘッドマウントディスプレイ１は、判定の結果、カートリッジ１０００（電力蓄積部１００１）の電力の残容量が第１所定量以下である場合（ステップＳ４０４，Ｙｅｓ）、カートリッジ１０００の電力の残容量、及び電力の取得先に関する報知を実行する（ステップＳ４０５）。
【００６５】
図１２を用いて、ステップＳ４０５における報知の例を説明する。図１２に示すように、ヘッドマウントディスプレイ１は、アプリケーションの実行画面ＳＣ１を表示部２ａ及び表示部２ｂの少なくとも一方に表示する。アプリケーションの実行画面ＳＣ１には、カートリッジの電力の残容量、及び電力の取得先に関する報知を行うためのメッセージＭ１が表示される。さらに、アプリケーションの実行画面ＳＣ１には、ヘッドマウントディスプレイ１の利用者が、電力の自動切換を実行するか否かを決定するためのボタンＯＢ１及びボタンＯＢ２が配置される。さらに、アプリケーションの実行画面ＳＣ１には、操作部６を介して実行される操作に連動するポインタＰ１が表示される。ヘッドマウントディスプレイ１は、ボタンＯＢ１に対する操作に応じて電力の自動切換を有効化する一方、ボタンＯＢ２に対する操作があった場合には電力の自動切換を有効化しない。電力の自動切換は、例えば、ヘッドマウントディスプレイ１が、カートリッジ１０００が有する電力蓄積部１００１の電力が底をついた場合、電力の取得先を電力蓄積部１００１から電力蓄積部１１に自動的に切り換えて、電力蓄積部１１の電力を使用する処理に該当する。
【００６６】
ヘッドマウントディスプレイ１は、電力の自動切換指示があったかを判定する（ステップＳ４０６）。ヘッドマウントディスプレイ１は、例えば、図１２に示すアプリケーションの実行画面ＳＣ１に配置されるボタンＯＢ１に対する操作があった場合、ヘッドマウントディスプレイ１の利用者から電力の自動切換指示があったものと判定する。一方、ヘッドマウントディスプレイ１は、例えば、図１２に示すアプリケーションの実行画面ＳＣ１に配置されるボタンＯＢ２に対する操作があった場合、ヘッドマウントディスプレイ１の利用者から電力の自動切換指示はなかったものと判定する。
【００６７】
ヘッドマウントディスプレイ１は、判定の結果、電力の自動切換指示があった場合（ステップＳ４０６，Ｙｅｓ）、自動切換を有効化してアプリケーションの処理を実行し（ステップＳ４０７）、図１１の処理を終了する。
【００６８】
一方、ヘッドマウントディスプレイ１は、判定の結果、電力の自動切換指示がなかった場合（ステップＳ４０６，Ｎｏ）、自動切換を有効化することなく、アプリケーションの処理を実行して（ステップＳ４０８）、図１１の処理を終了する。
【００６９】
上記ステップＳ４０４において、ヘッドマウントディスプレイ１は、判定の結果、カートリッジ１０００（電力蓄積部１００１）の電力の残容量が第１所定量以下ではない場合（ステップＳ４０４，Ｎｏ）、上記ステップＳ４０８に移る。
【００７０】
上述の実施形態では、ヘッドマウントディスプレイ１は、カートリッジ１０００がインタフェース部１０に接続されると、電力蓄積部１１ではなく、カートリッジ１０００が有する電力蓄積部１００１から電力の供給を受けるように制御する。このため、ヘッドマウントディスプレイ１の利用者は、カートリッジ１０００を接続したヘッドマウントディスプレイ１を介して、種々のサービスの提供を受ける際に、ヘッドマウントディスプレイ１の電力を使用する必要がないので、カートリッジ１０００を提供する施設利用時のヘッドマウントディスプレイ１の使い勝手を向上できる。
【００７１】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７２】
１  ヘッドマウントディスプレイ
２ａ，２ｂ  表示部
３，４  撮像部
５  検出部
６  操作部
７  通信部
８  記憶部
９  制御部
１０  インタフェース部
１１  電力蓄積部
１０００  カートリッジ
１００１  電力蓄積部
【図１】
2017183830.tif 000003
【図２】
2017183830.tif 000004
【図３】
2017183830.tif 000005
【図４】
2017183830.tif 000006
【図５】
2017183830.tif 000007
【図６】
2017183830.tif 000008
【図７】
2017183830.tif 000009
【図８】
2017183830.tif 000010
【図９】
2017183830.tif 000011
【図１０】
2017183830.tif 000012
【図１１】
2017183830.tif 000013
【図１２】
2017183830.tif 000014